(57)【要約】【課題】サムタ−ンを常時取付けておく構成としてサムタ−ンの紛失を防ぐ一方、扉外からサムタ−ンを操作して不正解錠されることを確実に防止することができる施解錠機構のサムタ−ン装置を提供する。【解決手段】ダイヤルノブ２８を目盛合せしないかぎり、クラッチ３２を後退保持してサムタ−ン２５とシャフト３０とを非連結とし、サムタ−ン２５を空転させるようにして防犯状態、また、ダイヤルノブ２８の目盛合せにしたがってロックバ−３３の移動を許容し、この状態でダイヤルノブ２８を引張り操作してクラッチ３２をサムタ−ン２５にクラッチ連結させ、サムタ−ン２５の回転をクラッチ３２を介してシャフト３０に伝達し施解錠する構成としてある。【選択図】    図４
2004332351.tif 000002
【特許請求の範囲】
【請求項１】
扉に設備される施解錠機構のサムタ−ン装置において、
一端部を施解錠機構に連結し、回転駆動させることによって当該施解錠機構を施解錠することができるシャフトと、
このシャフトの他端部に回転自在に取付けたサムタ−ンと、
上記シャフトに非回転で摺動自在とし、上記サムタ−ンの一部に連結可能とした常時非連結のクラッチと、
このクラッチを所定の条件操作の下に連結させる操作手段とを設け、
クラッチを非連結としてサムタ−ンを空転状態とし、クラッチを連結させてサムタ−ンによる施解錠を自在とする構成としたことを特徴とするサムタ−ン装置。
【請求項２】
請求項１に記載したサムタ−ン装置において、
クラッチを非連結に保持する一方、ダイヤル部材の操作にしたがって当該クラッチを連結させる操作手段を備えたことを特徴とするサムタ−ン装置。
【請求項３】
請求項２に記載したサムタ−ン装置において、
ダイヤル部材の操作にしたがって前記シャフトの軸心方向に移動させることができるダイヤル操作手段と、このダイヤル操作手段の移動位置を保持させる復動操作の自在なセット操作手段からなる操作手段を備え、
ダイヤル操作手段の移動に連動させてクラッチを連結させる構成としたことを特徴とするサムタ−ン装置。
【請求項４】
請求項３に記載したサムタ−ン装置において、
セット操作手段の復動操作によってダイヤル部材の移動保持を解除することにより、ダイヤル操作手段を戻り移動させてクラッチを非連結とするばね部材を設けたことを特徴とするサムタ−ン装置。
【請求項５】
請求項２〜４のいずれか１項に記載したサムタ−ン装置において、
前記シャフトの軸心方向に細長く形成し、非回転として同軸心方向に移動自在とした支持部材と、
この支持部材に回転自在に支持させたダイヤル部材と、
前記支持部材に形成した凹溝に遊嵌し、ダイヤル部材の回転に連動させてシャフト周り方向に回転させるリング状のロックプレ−トと、
このロックプレ−トの内周縁に形成し、ダイヤル部材の目盛り合せに応じて支持部材位置に旋回して支持部材の移動を許可する凹形部と、
前記支持部材を移動位置から復動させるリタ−ンスプリングとより構成し、ダイヤル部材の移動操作による前記支持部材の移動にしたがってクラッチを連結させるダイヤル操作手段とを備え、
さらに、前記ダイヤル部材を移動させることによってばね勢力により突出しダイヤル部材の移動位置を保持するセット操作手段とを備えたことを特徴とするサムタ−ン装置。
【請求項６】
請求項５に記載したサムタ−ン装置において、
少なくとも２つ以上のロックプレ−トを設け、ダイヤル部材の目盛り合せの組合せによってロックプレ−ト各々の凹形部を支持部材位置に旋回させるダイヤル操作手段を備えたことを特徴とするサムタ−ン装置。
【発明の詳細な説明】
【０００１】
【発明の属する技術分野】
この発明は、建物などの扉に設備される施解錠機構のサムタ−ン装置に関し、詳しくは、サムタ−ンの不正操作による解錠を防止することができるサムタ−ン装置に係る。
【０００２】
【従来の技術】
住宅などの扉に装備されている施解錠機構は、扉外からキ−を使って施解錠するシリンダ−錠の他に、扉内から施解錠するサムタ−ンを備えたものが多い。
【０００３】
しかし、このような施解錠機構は、扉に孔をあけたり、また、明かり採り窓のある扉の場合は、窓を壊わしてそこから手を扉内に差し入れたり、或いは、特殊な器具を差し入れてサムタ−ンを回転させ、不正に解錠されてしまうことがあった。
【０００４】
そこで、現今では、サムタ−ンを着脱自在とし、施錠した状態でサムタ−ンを取り外しておくことにより、上記した不正解錠を防止するようにした施解錠機構が提案されている。
【０００５】
図２３は住宅などの扉に設備されたこの種の施解錠機構の一例を示す。
図示するように、この施解錠機構は、扉１０の外面側にシリンダ錠１１、その内面側にサムタ−ン１２を備えている。
【０００６】
シリンダ錠１１は、キ−を差し入れて回転させることによってデッドボルト１３が進退し、解錠されているときは施錠し、施錠されているときは解錠する。
また、サムタ−ン１２を回転操作すると、その連動軸１４の回転にしたがってデッドボルト１３が進退し、上記同様に施解錠する。
【０００７】
一方、この施解錠機構は、図２４に示す如く、サムタ−ン１２が着脱自在となっている。
具体的に述べれば、サムタ−ン１２は、小歯車１２ｂとリング溝１２ｃとを形成した軸部１２ａが設けてあり、この軸部１２ａをケ−ス１５の取付孔１５ａより差し込んで取付けるようになっている。
【０００８】
また、ケ−ス１５内に回転自在に軸支された連動軸１４の一端には、上記小歯車１２ｂが噛合する内歯車１４ａが設けられ、これら小歯車１２ｂと内歯車１４ａによってサムタ−ン１２が連動軸１４に連結される。
【０００９】
さらに、ケ−ス１５内には、上記の取付孔１５ａを閉成する方向のばね勢力を与えたシャッタ−１６が設けられている。
このシャッタ−１６は、操作レバ−１７を押し上げ操作することによって開口させ、この開口状態でサムタ−ン１２の軸部１２ａを取付孔１５ａより挿入する。
【００１０】
その後、操作レバ−１７の押し上げ操作を解放すると、シャッタ−１６の一部が軸部１２ａのリング溝１２ｃに嵌入し、サムタ−ン１２の取外れが防止される。
また、サムタ−ン１２が取付けられている状態で、操作ノブ１７を押し上げ操作すると、シャッタ−１６が開動作し、その一部が上記のリング溝１２ｃから抜け出ることから、サムタ−ン１２を取り外すことができる。
【００１１】
このように構成されている施解錠機構は、施錠した後にサムタ−ン１２を取外しておくことにより、扉外からサムタ−ン１２が回転されて解錠されると言う問題がない。
【００１２】
なお、上記した施解錠機構は、いわゆる電子錠の機能を備えている。
すなわち、ケ−ス１５内には、扉外から送られる無線信号によって始動するモ−タ、モ−タの駆動力を連動軸１４に伝達する連動部、サムタ−ン１２の回転力とモ−タ駆動力とを切換えるクラッチ１８などを備えている。
【００１３】
上記の施解錠機構は、扉の内側から施錠する場合、サムタ−ン１２を回転して施錠した後に、サムタ−ン１２を取外しておく。
また、外出するときには、サムタ−ン１２を取外して扉を閉め、その後、扉の外側からキ−などを使って施錠する。
【００１４】
【発明が解決しようとする課題】
上記した施解錠機構は、サムタ−ン１２を施錠状態で取外して所定場所に保管しておくことができることから、扉に孔をあけたり、明り採り窓を壊して扉内に手を差し入れ、また、特殊な器具を差し入れても、サムタ−ン１２を回転させることができない。
したがって、扉外からの不正解錠を防止した防犯性に優れる施解錠機構となる。
【００１５】
しかし、この施解錠機構は、取外したサムタ−ン１２を紛失してしまうことがある。
例えば、取外したサムタ−ンを外出中に持ち歩いたために、サムタ−ンをなくしたときは、帰宅しても扉内から施錠することができず、扉を解錠したままとしなければならない。
【００１６】
また、扉内から施錠してサムタ−ン１２を取外したが、サムタ−ン１２を置いた場所を忘れたような場合などサムタ−ン１２を見失ってしまったときには、扉内から解錠することができず、室内に閉じ込められた状態となり、火災などが起こったときに極めて危険な状態となる。
【００１７】
上記した実情にかんがみ、本発明はサムタ−ンを常時連結する構成としてその紛失を防ぐと共に特定の条件操作下にサムタ−ンによる施解錠を可能として不正な解錠を防止するようにした施解錠機構のサムタ−ン装置を提案することを目的とする。
【００１８】
【課題を解決するための手段】
上記課題を解決するために、本発明では、第１の発明として、扉に設備される施解錠機構のサムタ−ン装置において、一端部を施解錠機構に連結し、回転駆動させることによって当該施解錠機構を施解錠することができるシャフトと、このシャフトの他端部に回転自在に取付けたサムタ−ンと、上記シャフトに非回転で摺動自在とし、上記サムタ−ンの一部に連結可能とした常時非連結のクラッチと、このクラッチを所定の条件操作の下に連結させる操作手段とを設け、クラッチを非連結としてサムタ−ンを空転状態とし、クラッチを連結させてサムタ−ンによる施解錠を自在とする構成としたことを特徴とするサムタ−ン装置を提案する。
【００１９】
この第１の発明のサムタ−ン装置は、サムタ−ンがシャフト一端部に取付けられているため、サムタ−ンが取外れないから、サムタ−ンを紛失してしまうことがない。
【００２０】
また、所定の条件にしたがって操作手段を操作することによって、クラッチがサムタ−ンに連結し、サムタ−ンがこのクラッチを介してシャフトに連結する。
したがって、サムタ−ンの回転によってシャフトが回転することから、サムタ−ンによって施解錠することができる。
【００２１】
また、操作手段を操作しなければ、クラッチが非連結となっているため、サムタ−ンとシャフトとの連動系が遮断された状態となっている。
したがって、サムタ−ンを回転させてもシャフトは回転せず、サムタ−ンが空転するため、施解錠動作しない。
【００２２】
この結果、扉に孔をあけたり、明り採り窓を壊したりしてサムタ−ンを回転して不正に解錠しようとしても、サムタ−ンが空転するだけとなるので、不正な解錠を確実に防止することができる。
【００２３】
第２の発明は、上記第１の発明のサムタ−ン装置において、クラッチを非連結に保持する一方、ダイヤル部材の操作にしたがって当該クラッチを連結させる操作手段を備えたことを特徴とするサムタ−ン装置を提案する。
このサムタ−ン装置は、操作手段を特定の者のみが知覚しているダイヤルにしたがって操作したときにクラッチが連結する構成としてある。
【００２４】
第３の発明は、上記第２の発明のサムタ−ン装置において、ダイヤル部材の操作にしたがって前記シャフトの軸心方向に移動させることができるダイヤル操作手段と、このダイヤル操作手段の移動位置を保持させる復動操作の自在なセット操作手段からなる操作手段を備え、ダイヤル操作手段の移動に連動させてクラッチを連結させる構成としたことを特徴とするサムタ−ン装置を提案する。
【００２５】
この第３の発明のサムタ−ン装置は、ダイヤル部材を有するダイヤル操作部材と、このダイヤル操作部材の移動位置を保持するセット操作手段とによってクラッチを連結させる上記の操作手段を構成したことが特徴となっている。
【００２６】
第４の発明は、上記した第３の発明のサムタ−ン装置において、セット操作手段の復動操作によってダイヤル部材の移動保持を解除することにより、ダイヤル操作手段を戻り移動させてクラッチを非連結とするばね部材を設けたことを特徴とするサムタ−ン装置を提案する。
【００２７】
第５の発明は、上記第２〜第４のいずれかの発明のサムタ−ン装置において、前記シャフトの軸心方向に細長く形成し、非回転として同軸心方向に移動自在とした支持部材と、この支持部材に回転自在に支持させたダイヤル部材と、前記支持部材に形成した凹溝に遊嵌し、ダイヤル部材の回転に連動させてシャフト周り方向に回転させるリング状のロックプレ−トと、このロックプレ−トの内周縁に形成し、ダイヤル部材の目盛り合せに応じて支持部材位置に旋回して支持部材の移動を許可する凹形部と、前記支持部材を移動位置から復動させるリタ−ンスプリングとより構成し、ダイヤル部材の移動操作による前記支持部材の移動にしたがってクラッチを連結させるダイヤル操作手段とを備え、さらに、前記ダイヤル部材を移動させることによってばね勢力により突出しダイヤル部材の移動位置を保持するセット操作手段とを備えたことを特徴とするサムタ−ン装置を提案する。
この第５の発明は、サムタ−ン装置の具体的な構成を特徴としたものである。
【００２８】
第６の発明は、上記第５の発明のサムタ−ン装置において、少なくとも２つ以上のロックプレ−トを設け、ダイヤル部材の目盛り合せの組合せによってロックプレ−ト各々の凹形部を支持部材位置に旋回させるダイヤル操作手段を備えたことを特徴とするサムタ−ン装置を提案する。
【００２９】
【発明の実施の形態】
次に、本発明の実施形態について図面に沿って説明する。
図１は、サムタ−ン装置２０を施解錠機構に組付ける状態を示す斜視図である。
【００３０】
この図において、２１は扉２２に設備された施解錠機構で、この施解錠機構２１には扉２２の外面に取付けてカム２３に連動させるようにしたシリンダ錠が設けてある。
【００３１】
また、サムタ−ン装置２０は、そのシャフトヘッドをカム２３の連結孔２３ａに嵌着すると共に、当該サムタ−ン装置２０のアタッチメントに形成した取付孔に取付軸２４を軸挿させるようにして、このサムタ−ン装置２０を扉２２の内面側に組付ける。
【００３２】
このように組付けたサムタ−ン装置２０は、シリンダ錠のキ−操作またはサムタ−ン２５の回転に連動するシャフトの回転によってカム２３を旋回させる。
これより、デッドボルト２６がカム２３によって連動されて進退して施解錠する。
なお、２７は扉側面にねじ止めするフロント板である。
【００３３】
図２はサムタ−ン装置２０の通常状態（防犯セット状態）を示し、図３はサムタ−ン装置２０の使用状態（施解錠状態）を示す。
図２から分かるように、通常状態では、ダイヤルノブ２８が扉側方向（図２（Ｂ）において右方向）に前進した位置となっている。
【００３４】
この通常状態では、サムタ−ン２５と上記したカム２３を旋回させるシャフトとが非連結となっており、サムタ−ン２５を回転操作しても、このサムタ−ン２５が空転し、施解錠しない。
【００３５】
図３に示す使用状態では、ダイヤルノブ２８が扉から離れる方向（図３（Ｂ）において左方向）に後退した位置となっている。
この使用状態では、サムタ−ン２５とカム２３を旋回するシャフトとが連結され、サムタ−ン２５の回転によって施解錠することができる。
【００３６】
なお、通常状態にセットする場合は、セットノブ２９を押し操作することにより、ダイヤルノブ２８がばね勢力によって図２に示すように進出し、また、ダイヤルノブ２８を引張り操作すると、セットノブ２９がばね勢力によって突出し、図３に示すように、ダイヤルノブ２８の後退移動位置を保持する。
【００３７】
図４は、通常状態を示す図２上のＡ−Ａ線断面図、図５は使用状態を示す図３上のＢ−Ｂ線断面図である。
これらの図面に示すように、シャフト３０の一端部にはサムタ−ン２５を取付け、その他端部にはシャフトヘッド３１が取付けてある。
【００３８】
サムタ−ン２５は、図１２に詳細図として示してある通り、内底面中央部から円筒部２５ａを突出形成し、この円筒部２５ａにシャフト３０を回転自在として軸挿してある。
また、このサムタ−ン２５には、円筒部２５ａの先端周囲に沿って形成したクシ歯状のクラッチ連結部２５ｂが設けてある。
【００３９】
シャフト３０とシャフトヘッド３１は図１８、図１９に詳細図を示す。
これらの図面に示した如く、シャフト３０は、一端部に拡径ヘッド３０ａを設けてサムタ−ン２５の抜け止めを行ない、また、ほぼ小判断面の軸部３０ｂを形成して後述のクラッチの摺動領域を設けた構成としてあり、さらに、その他端部にはシャフトヘッドの取付孔３０ｃが設けてある。
【００４０】
シャフトヘッド３１は、その一端面にシャフト３０の他端部を嵌合させてねじ止めするほぼ小判形の嵌合凹部３１ａと、シャフト３０をねじ止めする孔部３１ｂと、非回転としてカム２３の連結孔２３ａに嵌合させる嵌合部３１ｃを備えた構成としてある。
【００４１】
一方、図４、図５に示すクラッチ３２は、シャフト３０の軸部３０ｂに摺動自在に設けてある。
このクラッチ３２は、図１３に詳細図として示してある通り、ほぼ小判形の軸孔３２ａと、クシ歯状のクラッチ連結部３２ｂとを設け、さらに、拡筒部３２ｃを形成して後述するロックバ−３３を圧接させる段形部３２ｄを設けた構成としてある。
【００４２】
このクラッチ３２は、その軸孔３２ａにシャフト３０の軸部３０ｂを軸挿して非回転で摺動するようにし、かつ、その拡筒部３２ｃがボデ−３４のクラッチ溝３４ａ内で移動するようにしてある。
また、このクラッチ３２は、上記クラッチ溝３４ａの奥底部との間に係架した拡圧作用のクラッチばね３５によってサムタ−ン２５方向への移動勢力が与えてある。
なお、ボデ−３４については図２０、図２１に詳細図が示してある。
【００４３】
上記したクラッチ３２は、図４、図５に示すように、拡圧作用のリタ−ンばね３６によってばね勢力を与えたロックバ−３３によってサムタ−ン２５より離れる方向に押動され、常時は図４に示す復動位置で静止している。
【００４４】
なお、クラッチ３２は、クラッチばね３５によってサムタ−ン２５方向に押動勢力を受けているが、上記したリタ−ンばね３６がクラッチばね３５に比べて大きいばね勢力となっていることから、クラッチ３２が図４に示すように復動する。
【００４５】
ロックバ−３３は、図１６に詳細図として示してある通り、細長形とした２つの支持片であり、これら２つのロックバ−３３は、ダイヤルノブ２８を支持する支持溝３３ａと、２つのロックプレ−トを支持させるプレ−ト溝３３ｂとを設けた同構成のものとなっている。
なお、２つのロックバ−３３に設けた孔部３３ｃは上記したリタ−ンばね３６の挿入孔である。
【００４６】
このように形成した２つのロックバ−３３は、ボデ−３４のロックバ−溝３４ｂに組込まれ、ロックバ−溝３４ｂに沿って移動する。
なお、ロックバ−溝３４ｂはボデ−３４の起立片部３４ｃに形成してあるが、それらについては図２０、図２１に示すボデ−３４の詳細図を参照されたい。
【００４７】
すなわち、ロックバ−３３は、サムタ−ンボデ−３７との間に係架したリタ−ンばね３６によって押動され、この押動力でクラッチ３２を図４に示す復動位置に移動させる。
クラッチ３２がこのように復動すると、そのクラッチ連結部３２ｂがサムタ−ン２５のクラッチ連結部２５ｂから抜け出るため、クラッチの非連結となり、サムタ−ン２５とシャフト３０の連動系が遮断される。
【００４８】
他方、サムタ−ンボデ−３７は、図６に示すように、ボデ−３４にねじ止めされる。
なお、図６は図２上のＣ−Ｃ線断面図である。
つまり、図１４に示すサムタ−ンボデ−３７の詳細図より分かるように、サムタ−ンボデ−３７のねじ孔３７ａと、ボデ−３４の起立片部３４ｃに設けたねじ孔３４ｄとにねじ込んだねじ３８によってサムタ−ンボデ−３７を固定してある。
【００４９】
他方、図４、図５に示すように、ダイヤルノブ２８はほぼ皿状に形成したダイヤル部材で、その底部に形成した支持孔２８ａの孔縁部をロックバ−３３の支持溝３３ａに回転自在に嵌合させてある。
【００５０】
このダイヤルノブ２８は、図１５に詳細図として示した如く、周囲面にダイヤル目盛を設けると共に、内面の一部に凸条の突起２８ｂが設けてある。
この突起２８ｂはダイヤルノブ２８の予定回転にしたがって後述する２つのロックプレ−トを回転させるものである。
【００５１】
２つのロックプレ−ト３９、４０はロックバ−３３のプレ−ト溝３３ｂに回転自在に嵌合させてあるが、これらロックプレ−ト３９、４０は、図４、図５に示すように、３つのテンションプレ−ト４１の間に配設してある。
【００５２】
３つのテンションプレ−ト４１は図１７（Ａ）に示すように、内周部に凹形部４１ａと凸形部４１ｂとを設けたリング板であり、２つのロックプレ−ト３９、４０は図１７（Ｂ）、（Ｃ）に示すように、内周部に凹形部３９ａ、４０ａを設けたリング板となっている。
また、ロックプレ−ト３９の外周部にはダイヤルノブ２８の突起２８ｂを係合させる二股凸形部３９ｂを、ロックプレ−ト４０の外周部にはその突起２８ｂによって押動する突形部４０ｂが設けてある。
【００５３】
上記したロックプレ−ト３９、４０は既に述べたようにテンションプレ−ト４１の各々の間に配設するが、図７、図８、図９に示すように、一方のテンションプレ−ト４１の凸形部４１ｂにサムタ−ンボデ−３７の突出部３７ｂを当接させ、他方のテンションプレ−ト４１にテンションばね４２のばね力を与えるようにしてロックプレ−ト３９、４０に適度のテンションを与えるようにしてある。
【００５４】
なお、図７は図２（Ａ）上のＤ−Ｄ線断面図、図８は図５上のＥ−Ｅ線断面図、図９は図５上のＦ−Ｆ線断面図であり、また、サムタ−ンボデ−３７の突出部３７ｂの詳細な構成は図１４を参照されたい。
さらに、テンションばね４２はボデ−３４のばね孔３４ｅに内装してある。
【００５５】
上記したダイヤルノブ２８、ロックバ−３３、ロックプレ−ト３９、４０、テンションプレ−ト４１などによってダイヤル操作手段を構成している。
また、セット操作手段は、セットばね４３によって突出勢力を与えたセットノブ２９によって構成してある。
【００５６】
セットノブ２９は、図４、図５、図２２より分かる通り、ボデ−３４とアタッチメント４４との間に突出自在に設けた操作ノブとなっている。
このセットノブ２９は、セットばね４３のばね力に抗して押し操作することにより、その突出片部２９ａがダイヤルノブ２８の内面に当接して図４に示す通常状態となる。
【００５７】
また、ダイヤルノブ２８を引張り操作し、サムタ−ン２５とダイヤルノブ２８とを扉１０か離れる方向に後退移動させると、セットノブ２９がセットばね４３のばね力で突出し、その突出片部２９ａがダイヤルノブ２８の円形端を受け止めするようになる。
【００５８】
これより、ダイヤルノブ２８の引張り操作を解放すると、図５に示すように、セットノブ２９の突出片部２９ａによってダイヤルノブ２８の後退移動位置が保持され、使用状態となる。
なお、セットノブ２９は、先端両側に形成した突形部２９ｂがボデ−３４に形成したノブ溝３４ｆの一部に当接することにより突出限界となる。
【００５９】
上記のように構成したサムタ−ン装置は、セットノブ２９が押し操作された状態では、ロックバ−３３がリタ−ンばね３６のばね力で扉１０側に進出移動しているから、図２、図４に示すように、ダイヤルノブ２８とクラッチ３２とが扉側に進出移動している。
【００６０】
この動作状態では、クラッチ３２のクラッチ連結部３２ｂがサムタ−ン２５のクラッチ連結部２５ｂから抜け出ているため、クラッチ３２が非連結となっている。
したがって、サムタ−ン２５の回転がクラッチ３２に伝達されないため、このサムタ−ン２５の回転によってシャフト３０が回転しない。
【００６１】
この結果、サムタ−ン２５を回転させると、このサムタ−ン２５が空転して施解錠しない。
つまり、防犯セットの通常状態となる。
このことから、施錠状態にある扉１０に孔があけられたり、明り採り窓が壊されたりするなどの不正行為が行なわれ、扉外からサムタ−ン２５が回転されても、サムタ−ン２５が空転するだけで解錠されることがない。
【００６２】
また、サムタ−ン２５によって施解錠する場合は、ダイヤルノブ２８を目盛合せした後に引張り操作する。
この引っ張り操作にしたがってセットノブ２９がセットばね４３のばね力で突出するから、引張り操作を解放させると、図５に示すように、ダイヤルノブ２８の復動がセットノブ２９の突出片部２９ａによって防止され、ダイヤルノブ２８が引張り移動位置に保たれる。
【００６３】
ダイヤルノブ２８を上記のように引張り移動させると、ロックバ−３３がリタ−ンばね３６のばね力に抗してサムタ−ン２５方向に移動するため、クラッチ３２がクラッチばね３５のばね力でサムタ−ン側に移動し、そのクラッチ連結部３２ｂがサムタ−ン２５のクラッチ連結部２５ｂに噛合し、図５に示すように、クラッチ連結となる。
【００６４】
クラッチ３２が連結すると、このクラッチ３２がシャフト３０を非回転で摺動する構成となっているため、サムタ−ン２５の回転によりクラッチ３２が回転することにより、シャフト３０が回転駆動されて施解錠する。
したがって、図３、図５に示した使用状態となる。
【００６５】
また、この使用状態において、セットノブ２９を押し操作すると、その突出片部２９ａの後退にしたがってロックバ−３３がリタ−ンばね３６のばね力で扉側に進出することから、ダイヤルノブ２８とクラッチ３２とが復動し、図２、図４に示す通常状態となる。
【００６６】
一方、上記したようにダイヤルノブ２８を引張り操作して使用状態とする場合は、ダイヤルノブ２８の目盛合せを行なう。
すなわち、図２、図４に示す通常状態において、ダイヤルノブ２８を回転操作し、予め定めた目盛りを所定のマ−クに合せることにより、ロックプレ−ト３９、４０の凹形部３９ａ、４０ａがロックバ−３３の位置に旋回し、このロックバ−３３の移動を許可するようになる。
【００６７】
このようにダイヤルノブ２８を目盛合せしないかぎり、ロックプレ−ト３９、４０によってロックバ−３３の移動が阻止されるため、ダイヤルノブ２８を引張り移動させることができない。
【００６８】
図１０、図１１を参照してダイヤルノブ２８の目盛合せの一例を説明する。
先ず、ダイヤルノブ２８を右回転させて目盛「３」をマ−ク４５に合せる。
なお、マ−ク４５はボデ−３４の側面に設けてある。
【００６９】
ダイヤルノブ２８を右回転させると、その突起２８ｂによってロックプレ−ト３９、４０が右回転し、目盛「３」の位置合せによってロックプレ−ト４０の凹形部４０ａがロックバ−３３の位置に旋回する。（図１０参照）
この場合、ロックプレ−ト３９はその二股突形部３９ｂがダイヤルノブ２８の突起２８ｂによって押し回わされ、ロックプレ−ト４０の突形部４０ｂがその突起２８ｂによって押し回される。
【００７０】
その後、ダイヤルノブ２８を左回転させると、その突起２８ｂによって二股突形部３９ｂのみが押し回され、ロックプレ−ト３９が左回転し、ロックプレ−ト４０は上記した右回転位置に残される。
そして、目盛「６」をマ−ク４５に合せると、ロックプレ−ト３９の凹形部３９ａがロックバ−３３の位置に旋回する。（図１１参照）
【００７１】
このように、ロックプレ−ト３９、４０の凹形部３９ａ、４０ａの位置をロックバ−３３に合せると、ロックバ−３３が凹形部３９ａ、４０ａ内を移動できる状態となるから、ダイヤルノブ２８の引張り操作によってロックバ−３３がサムタ−ン２５側に移動し、図３、図５に示す使用状態にセットすることができる。
【００７２】
【発明の効果】
上記した通り、本発明のサムタ−ン装置は、操作手段を所定の条件下に操作したときのみクラッチが連結し、サムタ−ンによる施解錠を可能とし、その他のときはサムタ−ンを空転させる構成としたので、操作手段を操作する所定の条件を知覚していなければ、サムタ−ンによる施解錠を行なうことができない。
【００７３】
したがつて、扉に孔をあけたり、扉の明り採り窓を壊したりして扉外からサムタ−ンを回転しても、サムタ−ンが空転するだけで解錠されることがない。
また、サムタ−ンは常に取付け状態となっているので、サムタ−ンを紛失するようなこともない。
【００７４】
さらに、本発明は、ダイヤル部材の目盛合せを利用した操作手段として構成することができるので、サムタ−ンによる施解錠操作が複雑とならず、防犯性にすぐれたサムタ−ン装置となる。
【図面の簡単な説明】
【図１】サムタ−ン装置の取付け状態を示す斜視図である。
【図２】図２（Ａ）は通常状態を示すサムタ−ン装置の正面図、図２（Ｂ）は同サムタ−ン装置の側面図である。
【図３】図３（Ａ）は使用状態を示すサムタ−ン装置の正面図、図３（Ｂ）は同サムタ−ン装置の側面図である。
【図４】図２上のＡ−Ａ線断面図である。
【図５】図３上のＢ−Ｂ線断面図である。
【図６】図２上のＣ−Ｃ線断面図である。
【図７】図２上のＤ−Ｄ線断面図である。
【図８】図５上のＥ−Ｅ線断面図である。
【図９】図５上のＦ−Ｆ線断面図である。
【図１０】ダイヤルノブの目盛合せを説明するための図９同様の断面図である。
【図１１】図１０同様の断面図である。
【図１２】サムタ−ンを示し、（Ａ）図は正面図、（Ｂ）図は側面図、（Ｃ）は断面図、（Ｄ）は背面図である。
【図１３】クラッチを示し、（Ａ）図は正面図、（Ｂ）図は断面図、（Ｃ）は背面図である。
【図１４】サムタ−ンボデ−を示し、（Ａ）図は正面図、（Ｂ）図は側面図、（Ｃ）図は背面図、（Ｄ）図は（Ａ）図上のＧ−Ｇ線断面図、（Ｅ）図は（Ａ）図上のＨ−Ｈ線断面図である。
【図１５】ダイヤルノブを示し、（Ａ）図は正面図、（Ｂ）図は側面図、（Ｃ）図は断面図、（Ｄ）は背面図である。
【図１６】ロックバ−を示し、（Ａ）図は正面図、（Ｂ）図は側面図、（Ｃ）図は断面図である。
【図１７】図１７（Ａ）はテンションプレ−トの正面図、図１７（Ｂ）は一方のロックプレ−トの正面図、図１７（Ｃ）図は他方のロックプレ−トの正面図である。
【図１８】シャフトを示し、（Ａ）図は正面図、（Ｂ）図は側面図、（Ｃ）図は背面図である。
【図１９】シャフトヘッドを示し、（Ａ）図は正面図、（Ｂ）図は側面図、（Ｃ）図は背面図である。
【図２０】ボデ−を示し、（Ａ）図は正面図、（Ｂ）図は（Ａ）図上のＧ−Ｇ線断面図、（Ｃ）図は背面図である。
【図２１】ボデ−を示し、（Ａ）図は図２０（Ａ）上のＨ−Ｈ線断面図、（Ｂ）図は図２０（Ａ）上のＩ−Ｉ線断面図、（Ｃ）図は図２０（Ａ）上のＪ−Ｊ線断面図である。
【図２２】図５上のＫ−Ｋ線断面図である。
【図２３】サムタ−ン装置を備える従来の施解錠機構を示す一部切欠き側面図である。
【図２４】サムタ−ンを取外した状態を示す図２３同様の施解錠機構の側面図である。
【符号の説明】
２０  サムタ−ン装置
２１  施解錠機構
２５  サムタ−ン
２５ｂ  クラッチ連結部
２８  ダイヤルノブ
２８ｂ  突起
２９  セットノブ
２９ａ  突出片部
３０  シャフト
３２  クラッチ
３２ｂ  クラッチ連結部
３３  ロックバ−
３３ｂ  プレ−ト溝
３５  クラッチばね
３６  リタ−ンばね
３９  ロックプレ−ト
３９ａ  凹形部
３９ｂ  二股突片部
４０  ロックプレ−ト
４０ａ  凹形部
４０ｂ  突形部
４１  テンションプレ−ト
４２  テンションばね
４３  セットばね
【図１】
2004332351.tif 000003
【図２】
2004332351.tif 000004
【図３】
2004332351.tif 000005
【図４】
2004332351.tif 000006
【図５】
2004332351.tif 000007
【図６】
2004332351.tif 000008
【図７】
2004332351.tif 000009
【図８】
2004332351.tif 000010
【図９】
2004332351.tif 000011
【図１０】
2004332351.tif 000012
【図１１】
2004332351.tif 000013
【図１２】
2004332351.tif 000014
【図１３】
2004332351.tif 000015
【図１４】
2004332351.tif 000016
【図１５】
2004332351.tif 000017
【図１６】
2004332351.tif 000018
【図１７】
2004332351.tif 000019
【図１８】
2004332351.tif 000020
【図１９】
2004332351.tif 000021
【図２０】
2004332351.tif 000022
【図２１】
2004332351.tif 000023
【図２２】
2004332351.tif 000024
【図２３】
2004332351.tif 000025
【図２４】
2004332351.tif 000026